(57)【特許請求の範囲】
【請求項１】
操作面上での操作体の有無を検出する操作体検出手段と、
前記操作面に付与された押圧力を検出する押圧力検出手段と、
前記操作体検出手段が前記操作体を検出してから所定時間経過後に前記押圧力検出手段が前記押圧力を検出しなかった場合に出力手段に所定画面を出力させると共に、前記所定時間内に前記押圧力検出手段が前記押圧力を検出した場合に前記所定画面の出力をせずに前記所定画面の出力以外の特定処理を示す画面を含む特定の画面を前記出力手段に出力すると共に前記特定処理を実行する制御手段と、
を備える画面操作装置。
【請求項２】
操作面上での操作体の有無を検出する操作体検出手段と、
前記操作体検出手段が前記操作体を検出してから所定時間を越えて前記操作体検出手段が前記操作体を検出している場合に出力手段に所定画面を出力させると共に、前記操作体検出手段が前記操作体を検出してから前記所定時間内に前記操作体検出手段が前記操作体を検出しなくなった場合に前記所定画面の出力をせずに前記所定画面の出力以外の特定処理を示す画面を含む特定の画面を前記出力手段に出力すると共に前記特定処理を実行する制御手段と、
を備える画面操作装置。
【請求項３】
操作面上での操作体の有無を検出する操作体検出手段と、
前記操作面に付与された押圧力を検出する押圧力検出手段と、
前記操作体検出手段が前記操作体を検出してから所定時間内に前記押圧力検出手段が前記押圧力を検出した場合、及び、前記操作体検出手段が前記操作体を検出してから前記所定時間と同一若しくは異なる時間内に前記操作体検出手段が前記操作体を検出しなくなった場合、の何れか一方の場合に所定画面を出力手段に所定画面を出力させると共に、何れか他方の場合に前記所定画面の出力以外の特定処理を示す画面を含む特定の画面を前記出力手段に出力すると共に前記特定処理を実行する制御手段と、
を備える画面操作装置。
【発明の詳細な説明】
【０００１】
【発明の属する技術分野】
本発明は、例えば、モニタテレビに表示される画面の切り換え等を行なう画面操作装置に関する。
【０００２】
【従来の技術】
車両に搭載したモニタテレビに例えば地図画面を表示させ、車両の現在位置等を確認できる所謂カーナビゲーション装置は、近年、高機能化の傾向がある。一方で、このようなカーナビゲーション装置の高機能化に伴いカーナビゲーション装置を操作するためのコントローラに対して各機能毎に操作ボタンや操作スイッチを設けることが困難となっている。
【０００３】
以上の不具合を解決するための処理方法としては、例えば、特定の処理を含む数種類の処理を特定の機能に属させ、更に、この特定の機能を含む数種類の機能を更に上位の機能に属させると共に、モニタテレビに各機能毎にメニュー画面を設定し、メニュー画面で下位の機能を選択しながら最終的に所望の処理を実行する所謂階層的な処理が考えられる。
【０００４】
このような階層的な処理では、基本的にメニュー画面に表示されている数だけ操作ボタン等を設ければよく、操作ボタン等の数を増やすことなく高機能化を図ることができる。
【０００５】
【発明が解決しようとする課題】
しかしながら、上記のような階層的な処理は、使用頻度が高い処理内容であっても、その処理に行きつくまでに時間を要するため、この点で更なる改良が望まれていた。
【０００６】
本発明は、上記事実を考慮して、使用頻度が高い処理内容等、少なくとも特定の処理を迅速に行なうことができる画面操作装置を得ることが目的である。
【０００７】
【課題を解決するための手段】
請求項１に記載の本発明に係る画面操作装置は、操作面上での操作体の有無を検出する操作体検出手段と、前記操作面に付与された押圧力を検出する押圧力検出手段と、前記操作体検出手段が前記操作体を検出してから所定時間経過後に前記押圧力検出手段が前記押圧力を検出しなかった場合に出力手段に所定画面を出力させると共に、前記所定時間内に前記押圧力検出手段が前記押圧力を検出した場合に前記所定画面の出力をせずに前記所定画面の出力以外の特定処理を示す画面を含む特定の画面を前記出力手段に出力すると共に前記特定処理を実行する制御手段と、を備えている。
【０００８】
上記構成の画面操作装置では、人の指等の操作体が操作面上に位置すると操作体検出手段により検出され、また、例えば、操作体等によって操作面に押圧力が付与されると押圧力が押圧力検出手段により検出される。
【０００９】
操作体検出手段が操作面上の操作体を検出すると、制御手段若しくは他の計時手段が計時を開始し、操作体検出手段が操作面上の操作体を検出してから所定時間が経過しても押圧力検出手段が押圧力を検出していなければ、制御手段によって出力手段に所定画面が出力される。したがって、この状態では操作者が出力手段に出力された所定画面を確認でき、例えば、この所定画面がその後の操作を誘導するための誘導画面であれば、画面を確認しつつその後の操作を確実に行なうことができる。
【００１０】
これに対して、操作面上の操作体を操作体検出手段が検出してから所定時間内に押圧力検出手段が押圧力を検出すると、出力手段への上記の所定画面の出力が行なわれずに、この所定画面の出力以外の特定処理を示す画面を含む特定の画面の出力が制御手段によって行なわれ、更に、この特定処理が制御手段によって行なわれる。これにより、例えば、出力手段を確認しなくても特定処理の処理内容がわかっている場合には、上記のように所定時間内に操作面に押圧力を付与することで特定処理が実行されるため、出力手段で操作内容を確認してから改めて処理を行なう場合に比べて早急に処理を実行できる。このため、処理遅延等や不要な操作内容の出力に起因する不快感を操作者に抱かせることを防止或いは軽減できる。
【００１１】
なお、本発明において、例えば、操作体検出手段が操作体を検出してから所定時間経過後に出力手段に所定画面が出力され、更にその後に押圧力検出手段が押圧力を検出すること何らかの処理が制御手段若しくは他の手段にて行なわれる構成とした場合、このときの処理内容を上述した特定処理と同じにしてもよいし、異ならせてもよい。
【００１２】
また、上述した特定処理は、操作体検出手段が操作体を検出してから所定時間経過後に行なわれる出力手段に所定画面の出力とは全く異なる処理でよいのは勿論のこと、例えば、この所定画面の一部のみを出力させる処理であっても構わないし、所定画面以外の他の画面の一部或いは全部の出力であってもよい。
【００１３】
請求項２に記載の本発明に係る画面操作装置は、操作面上での操作体の有無を検出する操作体検出手段と、前記操作体検出手段が前記操作体を検出してから所定時間を越えて前記操作体検出手段が前記操作体を検出している場合に出力手段に所定画面を出力させると共に、前記操作体検出手段が前記操作体を検出してから前記所定時間内に前記操作体検出手段が前記操作体を検出しなくなった場合に前記所定画面の出力をせずに前記所定画面の出力以外の特定処理を示す画面を含む特定の画面を前記出力手段に出力すると共に前記特定処理を実行する制御手段と、を備えている。
【００１４】
上記構成の画面操作装置では、人の指等の操作体が操作面上に位置すると操作体検出手段により検出される。
【００１５】
操作体検出手段が操作面上の操作体を検出すると、制御手段若しくは他の計時手段が計時を開始し、操作体検出手段が操作面上の操作体を検出してから所定時間が経過しても操作体検出手段が操作面上の操作体を検出していれば、制御手段によって出力手段に所定画面が出力される。したがって、この状態では操作者が出力手段に出力された所定画面を確認でき、例えば、この所定画面がその後の操作を誘導するための誘導画面であれば、画面を確認しつつその後の操作を確実に行なうことができる。
【００１６】
これに対して、操作面上に操作体が位置したものの所定時間以内に操作面上から操作体を離間させる等により操作面上の操作体を操作体検出手段が検出してから所定時間内に操作体検出手段による操作面上の操作体の検出が行なわれなくなると、出力手段への出力手段への上記の所定画面の出力が行なわれずに、この所定画面の出力以外の特定処理を示す画面を含む特定の画面の出力が制御手段によって行なわれ、更に、この特定処理が制御手段によって行なわれる。これにより、例えば、出力手段を確認しなくても特定処理の処理内容がわかっている場合には、上記のように所定時間内に操作面上から操作体を離間させる等によって特定処理が実行されるため、出力手段で操作内容を確認してから改めて処理を行なう場合に比べて早急に処理を実行できる。このため、処理遅延等や不要な操作内容の出力に起因する不快感を操作者に抱かせることを防止或いは軽減できる。
【００１７】
なお、本発明において、例えば、操作体検出手段が操作体を検出してから所定時間経過後に出力手段に所定画面が出力された後に行なわれる何らかの操作により制御手段若しくは他の手段にて行なわれる処理を、上述した特定処理と同じにしてもよいし、異ならせてもよい。
【００１８】
また、上述した特定処理は、操作体検出手段が操作体を検出してから所定時間経過後に行なわれる出力手段に所定画面の出力とは全く異なる処理でよいのは勿論のこと、例えば、この所定画面の一部のみを出力させる処理であっても構わないし、所定画面以外の他の画面の一部或いは全部の出力であってもよい。
【００１９】
さらに、請求項２記載の本発明で言う特定処理と、請求項１記載の発明で言う特定処理とは、同じ内容の処理であっても構わないし、異なる処理であっても構わない。
【００２０】
請求項３に記載の本発明に係る画面操作装置は、操作面上での操作体の有無を検出する操作体検出手段と、前記操作面に付与された押圧力を検出する押圧力検出手段と、前記操作体検出手段が前記操作体を検出してから所定時間内に前記押圧力検出手段が前記押圧力を検出した場合、及び、前記操作体検出手段が前記操作体を検出してから前記所定時間と同一若しくは異なる時間内に前記操作体検出手段が前記操作体を検出しなくなった場合、の何れか一方の場合に所定画面を出力手段に所定画面を出力させると共に、何れか他方の場合に前記所定画面の出力以外の特定処理を示す画面を含む特定の画面を前記出力手段に出力すると共に前記特定処理を実行する制御手段と、を備えている。
【００２１】
上記構成の画面操作装置では、人の指等の操作体が操作面上に位置すると操作体検出手段により検出され、また、例えば、操作体等によって操作面に押圧力が付与されると押圧力が押圧力検出手段により検出される。
【００２２】
操作体検出手段が操作面上の操作体を検出すると、制御手段若しくは他の計時手段が計時を開始し、操作体検出手段が操作面上の操作体を検出してから所定時間内に押圧力検出手段が押圧力を検出した場合、及び、操作面上に操作体が位置したものの所定時間以内に操作面上から操作体を離間させる等により操作体検出手段が前記所定時間と同一若しくは異なる時間内に操作体を検出しなくなった場合、の何れか一方の場合に、制御手段によって出力手段に所定画面が出力される。したがって、この状態では操作者が出力手段に出力された所定画面を確認でき、例えば、この所定画面がその後の操作を誘導するための誘導画面であれば、画面を確認しつつその後の操作を確実に行なうことができる。
【００２３】
これに対して、操作体検出手段が操作面上の操作体を検出してから所定時間内に押圧力検出手段が押圧力を検出した場合、及び、操作体検出手段が前記所定時間と同一若しくは異なる時間内に操作体を検出しなくなった場合、の何れか他方の場合には、出力手段への上記の所定画面の出力が行なわれずに、この所定画面の出力以外の特定処理を示す画面を含む特定の画面の出力が制御手段によって行なわれ、更に、この特定処理が制御手段によって行なわれる。これにより、例えば、出力手段を確認しなくても特定処理の処理内容がわかっている場合には、上記のように前記何れか他方の場合に至る操作を行なうことで特定処理が実行されるため、出力手段で操作内容を確認してから改めて処理を行なう場合に比べて早急に処理を実行できる。このため、処理遅延等や不要な操作内容の出力に起因する不快感を操作者に抱かせることを防止或いは軽減できる。
【００２４】
なお、本発明において、前記何れか一方の場合に至る操作後に出力手段に所定画面が出力され、更にその後に前記何れか他方の場合に至る操作或いは異なる操作が行なわれることにより制御手段若しくは他の手段が何らかの処理を行なう公正とした場合、このときの処理内容を上述した特定処理と同じにしてもよいし、異ならせてもよい。
【００２５】
また、上述した特定処理は、前記何れか一方の場合に行なわれる出力手段に所定画面の出力とは全く異なる処理でよいのは勿論のこと、例えば、この所定画面の一部のみを出力させる処理であっても構わないし、所定画面以外の他の画面の一部或いは全部の出力であってもよい。
【００２６】
さらに、請求項３記載の本発明で言う特定処理及び出力手段に出力される所定画面は、請求項１又は請求項２記載の発明で言う特定処理及び出力手段に出力される所定画面と同じであってもよいし、異なっていてもよい。
【００２７】
【発明の実施の形態】
＜第１の実施の形態の構成＞
図１には本発明の第１の実施の形態に係る画面操作装置を一機能として有するカーナビゲーション装置１０の概略的な外観が示されており、図２には本カーナビゲーション装置１０の構成がブロック図によって示されている。
【００２８】
これらの図に示されるように、本カーナビゲーション装置１０は装置本体１２を備えている。この装置本体１２は全体的に箱形状に形成されており、車両のインストルメントパネルに形成された収容部（図示省略）へ収容される。この収容部に収容された状態で車両室内側に露出する装置本体１２の外壁部１４には開口部１６が形成されており、透明若しくは赤外光の透過が可能に着色された窓１８が嵌め込まれている。この開口部１６を介して装置本体１２の内側には、図２に示される赤外線受光部２０が設けられている。
【００２９】
赤外線受光部２０は、装置本体１２の内部に設けられたＣＰＵ等の制御手段としての制御部２２へ接続されており、受光した赤外線信号に応じた電気信号を制御部２２へ送信している。一方、制御部２２は装置本体１２の内部若しくは装置本体１２の外部に設けられた記憶媒体２４へ接続されており、記憶媒体２４へ記憶された様々なプログラムを読み込んで、それを処理、実行する。
【００３０】
一方、本カーナビゲーション装置１０は出力手段としてのモニタテレビ２６を備えている。モニタテレビ２６は車両のインストルメントパネル上を含めた所定の設置箇所で運転席等から見えるように設置される。このモニタテレビ２６は、フラットケーブル等の接続手段を介して装置本体１２の制御部２２へ接続されており、制御部２２における処理結果、実行結果を表示できる。
【００３１】
具体的に言うと、例えば、制御部２２が記憶媒体２４からカーナビゲーションプログラムを読み込んだ場合には、図８に示されるように、制御部２２はメイン画面として地図データ等を展開する。
【００３２】
また、例えば、制御部２２が記憶媒体２４からカーナビゲーションプログラムの中で後述する通常トレースモード処理が実行された場合には、図９に示されるように、上記の地図画面上に複数の選択ボタン３２、３４、３６、３８、４０、４２、４４、４６、４８、５０、５２、５４をマトリックス状（本実施の形態では４行３列）に表示すると共に、このメインメニューから実行若しくは起動できる処理や機能の名称等のラベルを各選択ボタン３２〜５４に表示する。
【００３３】
一方、図１及び図２に示されるように、本カーナビゲーション装置１０は入力手段としてのコントローラ７０を備えている。ここで、図３にはコントローラ７０の平面図が示されており、図４にはコントローラ７０の要部の構成が断面図によって示されている。
【００３４】
図４に示されるように、コントローラ７０は下ケース７２と上ケース７４とにより構成されたケース７６を備えている。下ケース７２は厚さ方向一方の側へ向けて開口した略箱形状に形成されている。これに対し、上ケース７４は下ケース７２とは反対側へ向けて開口した略箱形状で、下ケース７２と上ケース７４とは互いの開口端が向き合った状態で一体的に連結されている。
【００３５】
また、図３及び図４に示されるように、上ケース７４の上底部７８には略矩形状の開口部８０が形成されており、この開口部８０に対応してケース７６にはパネルスイッチ８２を構成する操作面としてのパネル８４が設けられている。パネル８４は外周形状が開口部８０に対応した略矩形平板状に形成されている。
【００３６】
さらに、図４に示されるように、このパネル８４の下方（下ケース７２側）には基板８６が略平行に配置されている。基板８６には表面及び裏面の少なくとも何れか一方にプリント配線等の配線が施されていると共に、ＣＰＵ８８やバッテリー９０、更には、抵抗やコンデンサ等の電気部品が上記の配線により電気的に接続されている。
【００３７】
基板８６は図示しない保持手段によって直接或いは間接的に上ケース７４又は下ケース７２に固定されている。また、基板８６上には圧縮コイルスプリング９２が配置されており、パネル８４を開口部８０側へ付勢した状態で基板８６へ接離移動可能に支持している。さらに、上ケース７４にはストッパ９４が形成されている。ストッパ９４はパネル８４の外周部に係合しており、所定距離以上にパネル８４が基板８６から離間しないように保持している。
【００３８】
また、パネル８４と基板８６との間にはパネル８４と共にパネルスイッチ８２を構成する押圧力検出手段としてのプッシュスイッチ９６が設けられている。プッシュスイッチ９６は本体９８を備えている。本体９８は図示しない固定接点を備えている。この固定接点は基板８６の配線へ電気的に接続されている。さらに、この本体９８には可動部１００が設けられている。可動部１００は基板８６に対するパネル８４の接離方向と略同方向に本体９８に対して移動可能とされており、基板８６へ接近する方向へ移動することで少なくとも一部が本体９８内へ移動する。また、可動部１００には図示しない可動接点を備えており、可動部１００が基板８６へ接近する方向へ移動した際に本体９８の固定接点へ接触して導通し、基板８６から離間することで固定接点との導通が解除される。
【００３９】
可動部１００の本体９８とは反対側はパネル８４の裏面へ当接している。したがって、パネル８４が圧縮コイルスプリング９２の付勢力に抗して基板８６へ接近する方向へ移動することで可動部１００が基板８６へ接近し、可動部１００の可動接点が本体９８の固定接点に接触する構成である。
【００４０】
さらに、基板８６の外周部近傍の裏面側には、赤外線発光素子１０２が配置されている。赤外線発光素子１０２は上記のＣＰＵ８８やバッテリー９０へ電気的に接続されており、ＣＰＵ８８からの信号に基づいて赤外線信号Ｌを発する。この赤外線発光素子１０２に対応して下ケース７２の側壁１０４には開口部１０６が形成されている。この開口部１０６には透明若しくは赤外線の透過が可能な程度に着色された窓１０８が嵌め込まれており、赤外線発光素子１０２にて発せられた赤外線信号Ｌは窓１０８を透過してケース７６の外部へ出て、上述した装置本体１２の窓１８を透過して赤外線受光部２０に受光される。
【００４１】
一方、図３に示されるように、パネル８４の表面側には操作体検出手段としてのシートスイッチ１１０が載置されている。ここで図５にはシートスイッチ１１０の展開状態での平面図が示されている。この図に示されるように、シートスイッチ１１０は一対の基部１１２、１１４を備えている。これらの基部１１２、１１４は、例えは、絶縁性の合成樹脂材により各々が平面視略矩形状のシート状に形成されており、少なくとも、基部１１４は所定の大きさ以上（例えば、人が指で軽く押圧した程度）の押圧力で弾性変形可能な程度の剛性に設定されている。また、基部１１２は、その幅方向一方（図５の右方）の端部で基部１１４の幅方向他方（図５の左方）の端部と連結されており、基部１１２と基部１１４との連結部１１６を軸線として基部１１２が基部１１４に対して相対的に回動可能とされている。
【００４２】
さらに、基部１１２の表面上には複数本（本実施の形態では４本）のライン端子１２２、１２４、１２６、１２８が形成されている。これらのライン端子１２２〜１２８は各々が基部１１２の幅方向に沿って長手の線状若しくは棒状とされており、基部１１２の長手方向に沿って所定間隔毎に互いに平行に形成されている。
【００４３】
一方、基部１１４の表面上には複数本（本実施の形態では３本）のライン端子１３２、１３４、１３６が形成されている。これらのライン端子１３２〜１３６は各々が基部１１４の長手方向に沿って長手の線状若しくは棒状とされており、基部１１４の幅方向に沿って所定間隔毎に互いに平行に形成されている。
【００４４】
さらに、基部１１２の幅方向他方の端部にはコネクタ部１４０が形成されている。これらのコネクタ部１４０には上述したライン端子１２２〜１２８の各々に対応して複数本（本実施の形態では７本）の接続線１４２が形成されている。各接続線１４２の一方の端部は基部１１２、更には基部１１４の表面上を介して対応するライン端子１２２〜１３６の一端へ電気的に接続されている。
【００４５】
これに対して、各接続線１４２はコネクタ部１４０に機械的に接続された他のコネクタ部のリード線（図示省略）を介して図４に示される基板８６のプリント配線等へ電気的に接続されており、更に、この基板８６のプリント配線等を介して上述したＣＰＵ８８へ電気的に接続されている。
【００４６】
基部１１２と基部１１４とは互いの表面が対向するように連結部１１６にて折り返されており、これにより、図５における基部１１２上で二点鎖線で示されるようにライン端子１３２〜１３６がライン端子１２２〜１２８と略直交し、全体体にライン端子１２２〜１３６が格子状に配置されることになる。この状態でライン端子１２２〜１２８の何れかとライン端子１３２〜１３６の何れかとが互いに接触して導通すると、この導通がＣＰＵ８８に検出されるようになっている。
【００４７】
また、図３及び図５に示されるように、基部１１４の裏面（すなわち、シートスイッチ１１０の表面）には複数のタッチ部１５０、１５２、１５４、１５６、１５８、１６０、１６２、１６４、１６６、１６８、１７０、１７２が形成されている。これらのタッチ部１５０〜１７２は全体的に４行３列のマトリックス状に形成されており各々が平面視でのライン端子１３２〜１３６とライン端子１２２〜１２８との交点に対応している。したがって、これらのタッチ部１５０〜１７２の何れかの部分でシートスイッチ１１０の表面（すなわち、基部１１４の裏面）を押圧することで、該当する部分でライン端子１３２〜１３６の何れかとライン端子１２２〜１２８の何れかとが導通する構成となっており、すなわち、押圧部分の一種の目安となっている。
【００４８】
さらに、図３に示されるように、これらのタッチ部１５０〜１７２の全部若しくは一部（本実施の形態では、タッチ部１５２、１５８、１６４を除いたタッチ部１５０〜１７２）に対応して基部１１４の裏面（すなわち、シートスイッチ１１０の表面）にラベルが表示されている。これらのラベルは、後述するダイレクトエンターモードにおける各処理を意味している。なお、図３に示されるように、本実施の形態では、これらのラベルを全て文字とした構成であるが、基本的にラベルはダイレクトエンターモードにおける各処理の名称や内容等が見てわかる構成であればよく、例えば、文字に以外の各種記号（絵記号を含む）を用いてもよい。
【００４９】
また、図５に示されるように、基部１１２の表面上には複数の突起１４４が形成されている。これらの突起１４４は、ライン端子１２２〜１２８の側方で且つライン端子１３２〜１３６が基部１１２の表面と対向した状態でライン端子１３２〜１３６の側方に位置するように形成されており、連結部１１６周りに折り返された状態では基部１１４の表面が基部１１２の表面に対して所定距離離間した状態で基部１１４を保持するようになっている。このため、通常状態ではライン端子１２２〜１２８とライン端子１３２〜１３６とは互いに離間している。
【００５０】
＜第１の実施の形態の作用、効果＞
（コントローラ７０の作動概略）
次に、本実施の形態の全体的な作用並びに効果の説明に先立ち、コントローラ７０の作動について簡単に説明する。
【００５１】
本実施の形態では、コントローラ７０の平面視（すなわち、図３図示状態）でライン端子１２２〜１２８の何れかと、ライン端子１３２〜１３６の何れかとの交点近傍であるシートスイッチ１１０上のタッチ部１５０〜１７２のうち、例えば、タッチ部１６０に触れてシートスイッチ１１０を押圧すると、タッチ部１６０でシートスイッチ１１０を構成する基部１１４が弾性変形する。これにより、タッチ部１６０近傍を交点とするライン端子１２４とライン端子１３６とは接触して導通するが、タッチ部１６０を除いたタッチ部１５０〜１７２近傍では基部１１４が突起１４４に支持されるためライン端子１２２〜１３６が互いに接触して導通することはない。
【００５２】
このライン端子１２４とライン端子１３６との導通（導通信号）はＣＰＵ８８により検出され、この導通を検出したＣＰＵ８８は赤外線発光素子１０２に対して数種類の赤外線信号Ｌの中からライン端子１２４とライン端子１３６との導通に対応した赤外線信号Ｌを発信（発光）させるべく発光信号を発信する。この発光信号の受信に応じて赤外線発光素子１０２から発せられたライン端子１２４とライン端子１３６との導通の導通に対応する赤外線信号Ｌは、装置本体１２の赤外線受光部２０にて受光され、更に制御部２２は赤外線受光部２０が受けた赤外線信号Ｌに基づく電気信号を受ける。なお、以下、ライン端子１２２〜１２８の何れかとライン端子１３２〜１３６の何れかが導通した際の赤外線信号Ｌに基づいて制御部２２が赤外線受光部２０から受ける電気信号を便宜上「タッチ信号」と称する。
【００５３】
一方、操作者がシートスイッチ１１０の基部１１４の裏面に指で触れた状態でシートスイッチ１１０を介して圧縮コイルスプリング９２の付勢力を上回る押圧力をパネル８４に付与すると、パネル８４が基板８６側へ移動し、これにより、プッシュスイッチ９６の可動部１００の可動接点とプッシュスイッチ９６の本体９８の固定接点とが接触して導通する。可動部１００の可動接点と本体９８の固定接点との導通は固定接点へ電気的に接続されているＣＰＵ８８により検出され、可動部１００の可動接点と本体９８の固定接点との導通をＣＰＵ８８が検出すると、ＣＰＵ８８は赤外線発光素子１０２から可動部１００の可動接点と本体９８の固定接点との導通信号に基づいた赤外線信号Ｌを発光させる。
【００５４】
このようにして赤外線発光素子１０２から発せられた赤外線信号Ｌは装置本体１２の赤外線受光部２０にて受光され、更に制御部２２は赤外線受光部２０が受けた赤外線信号Ｌに対応した電気信号を受ける。なお、以下、プッシュスイッチ９６における可動部１００の可動接点と本体９８の固定接点とが導通した際の赤外線信号Ｌに基づいて制御部２２が赤外線受光部２０から受ける電気信号を便宜上「クリック信号」と称する。
【００５５】
（機能選択処理における作用、効果）
次に、本カーナビゲーション装置１０において各種処理や機能を選択するための機能選択処理に関する作用並びに効果について、図６及び図７のフローチャートをに基づいて説明する。
【００５６】
本カーナビゲーション装置１０では、ステップ２００で制御部２２によりカーナビゲーションプログラムが記憶媒体２４から読み込まれるて実行されると、例えば、制御部２２により地図データが記憶媒体２４から読み込まれて展開され、一例としてモニタテレビ２６に図８に示されるような地図が表示される。
【００５７】
次いで、ステップ２０２で初期設定処理が行なわれる。ステップ２０２の初期設定処理ではフラグＦ１に０が代入されてリセットされると共に後述するタイマー（タイマープログラム）における経過時間Ｔに０が代入されてリセットされる。この状態からステップ２０４では赤外線発光素子１０２（コントローラ７０）からの赤外線信号Ｌを赤外線受光部２０が受信したか否か、すなわち、赤外線受光部２０からの電気信号を制御部２２が受信したか否かが制御部２２により判定される。ここで、例えば、上述したシートスイッチ１１０に操作者の指等が触れておらず、このため、ライン端子１２２〜１３６が何れも導通していなければ、赤外線受光部２０からタッチ信号が送られることはない。したがって、この状態ではそのままステップ２０２へ戻される。言わば、この状態はタッチ信号を受信するまで間の信号待機状態となる。
【００５８】
これに対して、ステップ２０４でタッチ信号を受信したと判定すると、ステップ２０６でタイマー（タイマープログラム）が作動し、計時が開始される。次いで、ステップ２０８ではクリック信号を受信したか否かが判定され、仮に、クリック信号を受信していればステップ２１０でフラグＦ１に１が代入されてステップ２１２へ進み、クリック信号を受信しなければステップ２１０を経ずにステップ２１２へ進む。
【００５９】
ステップ２１２ではタイマーが計時を開始してからの経過時間Ｔが予め設定された設定時間ＴＡを越えたか否かが判定される。なお、この設定時間ＴＡに関しては特に限定するものではない。しかしながら、基本的には操作者が操作遅延等の不快感を感じない程度の長さに設定されればよく、経験的に言えばその長さは、０．２乃至０．４秒程度が好ましい。このステップ２１２で経過時間Ｔが設定時間ＴＡを越えていなければステップ２０８へ戻り、経過時間Ｔが設定時間ＴＡを越えるまでステップ２０８〜２１２を循環する。
【００６０】
ステップ２１２で経過時間Ｔが設定時間ＴＡを越えたと判定されると、ステップ２１４で経過時間Ｔが一旦リセットされ、次いで、ステップ２１６でフラグＦ１に１が代入されているか否か、すなわち、ステップ２０８〜ステップ２１２の間で一度でもクリック信号を受信したか否かが判定される。このステップ２１６でフラグＦ１に１が代入されていない（リセットされたまま）と判定されるとステップ２１８へ進んで通常トレースモード処理が開始される。
【００６１】
ここで、図７には通常トレースモード処理のフローチャートが示されている。
【００６２】
ステップ２５０で通常トレースモード処理が開始されると、先ず、ステップ２５２で特許請求の範囲で言う所定画面に該当するメインメニューの表示処理が行なわれる。このメインメニューの表示処理では、制御部２２によってボタンデータが記憶媒体２４から読み込まれ、図９に示されるようにモニタテレビ２６の画面に複数の選択ボタン３２〜５４が４行３列のマトリックス状に表示される。また、このとき制御部２２によってラベルデータが記憶媒体２４から読み込まれ、選択ボタン３２〜５４の各々にラベルが表示される。これらのラベルはメインメニューから引き続き行なうことができる処理や機能の名称、略称、機能概略等を意味する文字や記号（絵記号を含む）とされており、ラベルを見ることでメインメニューから引き続き行なうことができる処理や機能を確認できる。
【００６３】
次いで、ステップ２５４ではこの通常トレースモード処理が行なわれる直前のタッチ信号が処理される。このタッチ信号処理では、例えば、通常トレースモード処理が行なわれる直前のタッチ信号が、タッチ部１５４に対応したタッチ信号（すなわち、ライン端子１２２とライン端子１３６とが導通した場合のタッチ信号）であれば、４行３列のマトリックス状に配置された選択ボタン３２〜５４のなかで、同じく４行３列のマトリックス状に設けられたタッチ部１５０〜１７２のうちタッチ部１５４の行列位置に対応した行列位置の選択ボタン３２が反転表示されて、そのまま確定した場合にはこの選択ボタン３２に表示されたラベルの処理や機能を実行することが示される（図１０参照）。
【００６４】
タッチ信号処理が終了すると、ステップ２５６で通常トレースモード処理に移行した後に赤外線受光部２０からの電気信号を制御部２２が受信したか否かが制御部２２により判定される。ここで、通常トレースモード処理に移行してからタッチ信号若しくはクリック信号を受信していなければ、そのままステップ２５４へ戻る。
【００６５】
これに対し、ステップ２５６で赤外線受光部２０からの電気信号を制御部２２が受信したと判定された場合には、ステップ２５８で受信信号の処理がなされ、更に、ステップ２６０でその信号がタッチ信号であるか否かが判定される。このときの信号がクリック信号であった場合には、ステップ２６４でクリック信号処理がなされる。例えば、図１０に示されるように、選択ボタン３２が反転表示された状態でステップ２６４へ進んだ場合には、図１１に示されるように、選択ボタン３２の色が反転表示状態及び反転表示前状態（通常状態）の何れとも異なる色に変更される。なお、本実施の形態では、クリック信号処理では該当する選択ボタン３２〜５４（図１１の状態では選択ボタン３２）の色換えを行なったが、例えば、反転表示されている選択ボタン３２以外の選択ボタン３４〜５４及びこれらの選択ボタン３４〜５４に対応して表示されているラベルをクリック信号処理でモニタテレビ２６の画面から消去するようにしてもよい。
【００６６】
次いで、ステップ２６６では、該当する選択ボタン３２〜５４（図１１の状態では選択ボタン３２）に表示されたラベルに該当する処理を実行し、また、ラベルに該当する機能のプログラムが実行され、ステップ２１８で通常トレースモード処理の一連の処理が行なわれて図６のステップ２２０へ進む。ステップ２２０ではフラグＦ１に０が代入されてリセットされ、ステップ２２２へ進んで一連の処理が終了する。なお、例えば、図７のステップ２６６で起動した機能のプログラムに更にメニュー画面がある場合には、この通常トレースモード処理と同様の処理がなされ、このような処理を繰り返すことで最終的に所望の処理に行きつくことになる。
【００６７】
一方、図７のステップ２５８で受信した信号がタッチ信号であるとステップ２６０で判定された場合には、ステップ２６２へ進み、受信したタッチ信号が、そのタッチ信号受信直前に受けたタッチ信号と同一の信号であるか否かが判定される。ここで、同一のタッチ信号であると判定された場合には、ステップ２５６へ戻り、同一のタッチ信号でないと判定された場合には、この新たなタッチ信号に基づいてステップ２５４でタッチ信号処理がなされる。
【００６８】
以上のように、この通常トレースモード処理では、メインメニューがモニタテレビ２６の画面に表示されるため、メインメニューを見ながら確実に所望の処理や機能を選択できる。
【００６９】
ところで、図６のステップ２１６でフラグＦ１に１が代入されていると判定された場合、すなわち、経過時間Ｔが設定時間ＴＡを越えるまでの間に一度でも制御部２２がクリック信号を受信した場合には、ステップ２２４、２２６のダイレクトエンターモード処理に進む。
【００７０】
このダイレクトエンターモード処理では、先ず、ステップ２２４では、特許請求の範囲で言う特定処理の１つに該当する該当ボタンの表示処理が行なわれる。この該当ボタン表示処理では、制御部２２によってボタンデータが記憶媒体２４から読み込まれる。但し、このダイレクトエンターモード処理における該当ボタン表示では、上述した通常トレースモード処理にように全ての選択ボタン３２〜５４に対応するボタンデータを読み込むわけではない。例えば、このダイレクトエンターモード処理が行なわれる直前のタッチ信号が、タッチ部１５４に対応したタッチ信号（すなわち、ライン端子１２２とライン端子１３６とが導通した場合のタッチ信号）であれば、４行３列のマトリックス状に配置されるはずの選択ボタン３２〜５４のなかで、同じく４行３列のマトリックス状に設けられたタッチ部１５０〜１７２のうちタッチ部１５４の行列位置に対応した行列位置の選択ボタン３２だけが図７のステップ２６４におけるクリック信号受信処理と同様にモニタテレビ２６に表示される（図１２参照）。
【００７１】
また、このとき制御部２２によってタッチ信号に対応したラベルデータが記憶媒体２４から読み込まれる。但し、このときのラベルデータは上述した通常トレースモード処理時におけるラベルデータとは異なり、あくまでも、ダイレクトエンターモード処理時におけるラベルデータとされる。このダイレクトエンターモード処理時のラベルデータは、シートスイッチ１１０の各タッチ部１５０〜１５７に表示されたラベルと同じである。したがって、この状態でモニタテレビ２６に表示されるラベルは、タッチ部１５４のラベルと同じラベルになる。
【００７２】
さらに、表示された選択ボタン３２並びにこの選択ボタン３２に表示されたラベルは、通常トレースモード処理時の通常状態及び反転処理状態とも異なる色で表示される（すなわち、通常トレースモード処理時におけるクリック信号処理後と同様の状態となる）。なお、本実施の形態では、表示された選択ボタン３２並びにこの選択ボタン３２に表示されたラベルを通常トレースモード処理時の通常状態及び反転処理状態とも異なる色で表示する構成としたが、例えば、通常トレースモード処理時における通常状態と同じ状態で表示してもよいし、反転処理してもよい。さらに、理由は後述するが、このステップ２２４の処理を行なわない構成、すなわち、ダイレクトエンターモード処理時には選択ボタン３２〜５４及びラベルを表示しない構成としてもよい。
【００７３】
次いで、ステップ２２６では、特許請求の範囲で言う特定処理に該当する処理である該当処理の実行若しくは該当機能の起動が行なわれる。このステップ２６６では、表示した選択ボタン３２〜５４（図１２の状態では選択ボタン３２）に表示されたラベルに該当する処理を実行し、また、ラベルに該当する機能のプログラムが実行され、ステップ２１８で通常トレースモード処理の一連の処理が行なわれて図６のステップ２２０へ進む。ステップ２２０ではフラグＦ１に０が代入されてリセットされ、ステップ２２０へ進む。
【００７４】
このように、本実施の形態では、タッチ部１５０〜１７２の何れかに触れてライン端子１２２〜１２８の何れかとライン端子１３２〜１３６の何れかを導通させた後、設定時間ＴＡ以内に（すなわち、即座に）シートスイッチ１１０並びにパネル８４を介してプッシュスイッチ９６の可動部１００の可動接点と本体９８の固定接点とを導通させることでダイレクトエンターモード処理へ移行することができる。このため、このダイレクトエンターモード処理にて実行しうる処理、若しくは、起動しうる機能であれば、モニタテレビ２６を見て処理や機能を選択しなくてもを所望の処理や機能を即実行できるため、処理遅延等や現状では特に必要としないモニタテレビ２６への表示に起因して操作者が抱く可能性がある不快感を防止或いは軽減できる。
【００７５】
また、上述したように、本実施の形態では、ダイレクトエンターモード処理時における処理や機能の名称等がシートスイッチ１１０に表示されているため、シートスイッチ１１０を見ながら操作すればダイレクトエンターモード処理が開始されたとしてもモニタテレビ２６を見て確認しなくても確実に所望の処理や機能を実行できる。
【００７６】
なお、本実施の形態は、タッチ信号受信から設定時間ＴＡ以内にクリック信号を受信することでステップ２２６、２２８のダイレクトエンターモード処理へ移行する構成（特許請求の範囲の請求項１に対応）であったが、タッチ信号受信から設定時間ＴＡ以内に指をシートスイッチ１１０上から離してタッチ信号及びクリック信号の何れも制御部２２が受信しない状態となった場合にステップ２２６、２２８のダイレクトエンターモード処理へ移行する構成（特許請求の範囲の請求項２に対応）としてもよい。この場合でも基本的には上述した効果と同様の効果を得ることができる。
【００７７】
＜第２の実施の形態＞
次に、本発明のその他の実施の形態について説明する。なお、以下の各実施の形態は、機能選択処理に前記第１の実施の形態とは異なる特徴が付加されているだけで、機械的な構成は前記第１の実施の形態と同じであるため構成の説明は省略する。また、以下の各実施の形態における機能選択処理に関する作用並びに効果を図１３、図１４、図１８、図１９のフローチャートを用いて説明するが、これらのフローチャートで前記第１の実施の形態を説明する際に用いた図６及び図７のフローチャートにおける各ステップと基本的に同一の処理に関しては同一のステップ番号を付与してその説明を省略する。
【００７８】
図１３には、本発明の第２の実施の形態における機能選択処理を示すフローチャートが示されており、この図に基づいて本実施の形態の作用並びに効果について説明する。
【００７９】
本実施の形態では、ステップ３００で制御部２２によりカーナビゲーションプログラムが記憶媒体２４から読み込まれるて実行されると、例えば、制御部２２により地図データが記憶媒体２４から読み込まれて展開され、一例としてモニタテレビ２６に図８に示されるような地図が表示される。
【００８０】
次いで、ステップ３０２で初期設定処理が行なわれる。ステップ３０２の初期設定処理では各フラグＦ１、Ｆ２、Ｆ３に０が代入されてリセットされると共にタイマー（タイマープログラム）における経過時間Ｔに０が代入されてリセットされる。この状態からステップ２０４、２０６を経てステップ２０８へ達し、ステップ２０８では赤外線受光部２０からのクリック信号が制御部２２により受信されたか否かが判定されるが、本実施の形態では、このステップ２０８でクリック信号を受信していないと判定するとステップ３０４へ進む。
【００８１】
このステップ３０４では、ステップ２０６でタイマーがスタートしてからタッチ信号を受信したか否かが判定され、仮に、タッチ信号を受信していればステップ３０６でフラグＦ２に１が代入されてからステップ２１２へ進む。また、ステップ３０４でタッチ信号を受信していないと判定された場合には、ステップ３０８でフラグＦ２に１が代入されているか否かが判定され、このステップ３０８でフラグＦ２に１が代入されていないと判定された場合には、ステップ３１０でフラグＦ３に１が代入され、フラグＦ２に１が代入されていると判定された場合にはステップ３１０を経ずにステップ２１２へ進む。
【００８２】
すなわち、本実施の形態では、ステップ２０６でタイマーがスタートしてからの経過時間Ｔが設定時間ＴＡを越えるまでの間に、一度でもクリック信号を受信していればフラグＦ１に１が代入される。また、ステップ２０４で受信したと判定されたタッチ信号とステップ３０４で受信したと判定されたタッチ信号との間にタッチ信号を受信しない状態が介在している状態、すなわち、瞬間的にシートスイッチ１１０に２度触れて瞬間的にタッチ信号が２度受信されればフラグＦ３に１が代入される。
【００８３】
しかしながら、ステップ２０４で受信したと判定されたタッチ信号が連続して受信されることでステップ３０４でもタッチ信号を受信したと判定された場合にはフラグＦ２に１が代入されてしまうため、フラグＦ３に１が代入されることはない。
【００８４】
一方、経過時間Ｔが設定時間ＴＡを越えてステップ２１２からステップ２１４へ進み、ステップ２１４で経過時間Ｔがリセットされてからステップ２１６でフラグＦ１に１が代入されているか否かが判定されるが、本実施の形態では、このステップ２１６でフラグＦ１に１が代入されていないと判定された場合にステップ３１２へ進んでフラグＦ３に１が代入されているか否かが判定される。このステップ３１２でフラグＦ３に１が代入されていないと判定された場合には、ステップ２１８で通常トレースモード処理が行なわれるが、ステップ３１２でフラグＦ３に１が代入されていると判定された場合には、ステップ３１０へ進んでタップメニューモード処理が行なわれる。
【００８５】
ここで、図１４にはタップメニューモード処理におけるフローチャートが示されている。この図に示されるように、ステップ３５０でタップメニューモード処理が開始されると、先ず、ステップ３５２で特許請求の範囲で言う特定処理の１つに該当する第１メニューの表示処理が行なわれる。この第１メニューの表示処理では、制御部２２によってボタンデータが記憶媒体２４から読み込まれ、図９に示されるようにモニタテレビ２６の画面に複数の選択ボタン３２〜５４が４行３列のマトリックス状に表示される。また、このとき制御部２２によってラベルデータが記憶媒体２４から読み込まれ、選択ボタン３２〜５４の各々にラベルが表示される。これらのラベルは第１メニューから引き続き行なうことができる処理や機能の名称、略称、機能概略等を意味する文字や記号（絵記号を含む）とされており、ラベルを見ることで第１メニューから引き続き行なうことができる処理や機能を確認できる。
【００８６】
但し、タップメニューモード処理実行時におけるラベルデータは、第１メニューは通常トレースモード処理実行時におけるラベルデータとは異なり、その全てがシートスイッチ１１０の各タッチ部１５０〜１７２に表示されたラベルと同じもの若しくはこれらに対応したものとされている。さらに、各選択ボタン３２〜５４に表示されたラベルの行列位置は各タッチ部１５０〜１７２に表示されたラベルの行列位置と同じである。
【００８７】
次いで、ステップ３５４ではフラグＦ４、Ｆ５に０が代入されてリセットされる。さらに、ステップ３５６では本タップメニューモード処理が実行されてから赤外線発光素子１０２（コントローラ７０）からの赤外線信号Ｌを赤外線受光部２０が受信したか否か、すなわち、赤外線受光部２０からの電気信号を制御部２２が受信したか否かが制御部２２により判定される。ステップ３５６でタッチ信号を受信していないと判定された場合には、そのままステップ３５６に戻り、言わば、タッチ信号受信待機状態となる。
【００８８】
これに対して、ステップ３５６でタッチ信号を受信したと判定すると、ステップ３５８でタイマー（タイマープログラム）が作動し、計時が開始される。次いで、ステップ３６０ではステップ３５６で受信したと判定したタッチ信号の後に再びタッチ信号を受信したか否かが判定され、仮に、タッチ信号を受信していればステップ３６２でフラグＦ４に１が代入されてステップ３６４へ進む。ステップ３６４ではステップ３５６で受信したと判定したタッチ信号の後にクリック信号を受信しているか否かが判定され、仮にクリック信号を受信していればステップ３６６でフラグＦ５に１が代入される。ステップ３６０でタッチ信号を受信していないと判定された場合やステップ３６４でクリック信号を受信していないと判定された場合には、ステップ３６２やステップ３６６を経ずにステップ３６０やステップ３６４から直接ステップ３６８へ進む。
【００８９】
ステップ３６８ではタイマーが計時を開始してからの経過時間Ｔが予め設定された設定時間ＴＡを越えたか否かが判定される。なお、この設定時間ＴＡに関しては特に限定するものではない。しかしながら、基本的には操作者が操作遅延等の不快感を感じない程度の長さに設定されればよく、経験的に言えばその長さは、０．２乃至０．４秒程度が好ましい。また、本ダイレクトエンターモード処理時における設定時間ＴＡはダイレクトエンターモード処理移行前（図１３のフローチャート）の設定時間ＴＡと同じでもよいし、異なっていてもよい。
【００９０】
このステップ３６８で経過時間Ｔが設定時間ＴＡを越えていなければステップ３６０へ戻り、経過時間Ｔが設定時間ＴＡを越えるまでステップ３６０〜３６８を循環する。
【００９１】
ステップ３６８で経過時間Ｔが設定時間ＴＡを越えたと判定されると、ステップ３７０で経過時間Ｔが一旦リセットされ、次いで、ステップ３７２でフラグＦ５に１が代入されているか否か、すなわち、ステップ３５８でタイマーがスタートしてから経過時間Ｔが設定時間ＴＡを越えるまでの間に１度でもクリック信号を受信したか否かが判定される。
【００９２】
このステップ３７２でフラグＦ５に１が代入されていないと判定されると、ステップ３７４でフラグＦ４に１が代入さているか否か、すなわち、ステップ３５８でタイマーがスタートしてから経過時間Ｔが設定時間ＴＡを越えるまでの間に１度でもタッチ信号を受信したか否かが判定される。
【００９３】
このステップ３７４でフラグＦ４に１が代入されていると判定された場合にはステップ３７６でタッチ信号処理が行なわれる。このステップ３７４のタッチ信号処理では、例えば、最終的に受信したタッチ信号が、タッチ部１５４に対応したタッチ信号（すなわち、ライン端子１２２とライン端子１３６とが導通した場合のタッチ信号）であれば、４行３列のマトリックス状に配置された選択ボタン３２〜５４のなかで、同じく４行３列のマトリックス状に設けられたタッチ部１５０〜１７２のうちタッチ部１５４の行列位置に対応した行列位置の選択ボタン３２が反転表示されて（図１６参照）、そのまま確定した場合にはこの選択ボタン３２に表示されたラベルの処理や機能を実行することが示された後にステップ３５４に戻る。なお、特に、図１４でのフローチャートで図示はしないが、仮に、このタッチ信号処理時において既に選択ボタン３２〜５４の何れかが反転処理されているが、新たなタッチ信号処理でも同一の選択ボタン３２〜５４（図１６の状態では選択ボタン３２）の処理を行なうことになる場合には、新たなタッチ信号処理は行なわずにそのままステップ３５４に戻る。
【００９４】
一方、ステップ３７２でクリック信号を受信したと判定された場合には、ステップ３７８でクリック信号処理がなされる。このステップ３７８におけるクリック信号処理では、例えば、このクリック信号受信の直前に受信したタッチ信号が、タッチ部１５４に対応したタッチ信号であった場合には、図１７に示されるように、タッチ部１５４に対応した選択ボタン３２が通常状態（図１５参照）及び反転表示状態（図１６参照）の何れとも異なる色に変更される。なお、本実施の形態では、クリック信号処理では該当する選択ボタン３２〜５４（図１７の状態では選択ボタン３２）の色換えを行なったが、例えば、反転表示されている選択ボタン３２以外の選択ボタン３４〜５４及びこれらの選択ボタン３４〜５４に対応して表示されているラベルをクリック信号処理でモニタテレビ２６の画面から消去するようにしてもよい。
【００９５】
次いで、ステップ３８０では、該当する選択ボタン３２〜５４（図１７の状態では選択ボタン３２）に表示されたラベルに該当する処理を実行し、また、ラベルに該当する機能のプログラムが実行される。次いで、ステップ３８２でフラグＦ３がリセットされてステップ３８４でタップメニューモード処理の一連の処理を終了し、図１３に示されるステップ３１６へ進む。ステップ３１６ではフラグＦ１、Ｆ２、Ｆ３の各々がリセットされ、更に、ステップ３１８で一連の処理が終了する。
【００９６】
これに対して、ステップ３７２でフラグＦ５に１が代入されていないと判定され、しかも、ステップ３７４でフラグＦ４に１が代入されていないと判定された場合、すなわち、ステップ３５６で受信したと判定されたタッチ信号以降にタッチ信号及びクリック信号の何れも制御部２２が受信しなかった場合（換言すると、瞬間的に１回だけシートスイッチ１１０に触れたような場合）には、ステップ３７８、３８０を経ずにステップ３８２へ進む。すなわち、ステップ３５８でタイマーがスタートする前に瞬間的に１回だけシートスイッチ１１０をタッチした場合には、言わば、タップメニューモード処理がキャンセルされて、元の図１３に示される処理に戻る。
【００９７】
以上説明したように、本実施の形態では、タップメニューモード処理が実行された場合には、第１メニューがモニタテレビ２６に表示され、この第１メニューの表示によりダイレクトエンターモード処理で行ないうる全ての処理や機能を示すラベルが選択ボタン３２〜５４と共にモニタテレビ２６に表示されるため、通常トレースモード処理と同様に第１メニューを見ながら確実に所望の処理や機能を選択できる。
【００９８】
さらに、第１メニューではモニタテレビ２６にシートスイッチ１１０に表示されたラベルと同様の表示がなされるため、コントローラ７０（シートスイッチ１１０）を見なくても操作が可能であるため、このタップメニューモード処理を活用することでダイレクトエンターモード処理に慣れることができる。
【００９９】
また、本実施の形態では、指で瞬間的に２回だけシートスイッチ１１０に触れることによりタップメニューモード処理へ移行でき、また、タップメニューモード処理実行時においては指で瞬間的に１回だけシートスイッチ１１０に触れることによりタップメニューモード処理をキャンセルできる。すなわち、ダイレクトエンターモード処理を行なう場合や通常トレースモード処理へ移行する際と同様にシートスイッチ１１０に対する操作だけで行なえる。このため、操作性がよく、しかも、このようなタップメニューモード処理を付加してもコントローラ７０にボタン等を増やさなくてもよい。
【０１００】
なお、本実施の形態では、指で瞬間的に２回だけシートスイッチ１１０に触れることによりタップメニューモード処理へ移行する構成としたが、タップメニューモード処理へ移行する際のシートスイッチ１１０に指で触れる回数を２回に限定するものではない。例えば、タップメニューモード処理をキャンセルする際と１回でもよいし、３回以上であってもよい。
【０１０１】
また、本実施の形態では、指で瞬間的に１回だけシートスイッチ１１０に触れることによりタップメニューモード処理をキャンセルする構成としたが、タップメニューモード処理をキャンセルする際のシートスイッチ１１０に指で触れる回数を１回に限定するものではない。
【０１０２】
例えば、タップメニューモード処理移行時と同様に２回でもよいし、３回以上であってもよい。さらには、コントローラ７０側にキャンセル専用のスイッチやボタンを設け、これを操作することでキャンセルする構成としてもよいし、第１メニューに表示される選択ボタン３２〜５４の何れかにキャンセルを意味する文字や記号（絵記号を含む）を表示し、その選択ボタン３２〜５４を選択した状態でステップ３７８、３８０の処理が行なわれることでタップメニューモード処理をキャンセルする構成としてもよい。
【０１０３】
さらに、本実施の形態は、ステップ３０４やステップ３６０で判定するタッチ信号はタッチ部１５０〜１７２の何れに対応していても構わず、ステップ２０４やステップ３５６で受信したと判定されたタッチ信号とは異なるタッチ信号であってもステップ３０４やステップ３６０では受信した判定する構成である。しかしながら、例えば、ステップ２０４やステップ３５６で受信したと判定されたタッチ信号と同一のタッチ信号であった場合にのみステップ３０４やステップ３６０で受信したと判定する構成にしてもよい。
【０１０４】
また、本実施の形態では、瞬間的に２回だけシートスイッチ１１０に指で触れた場合にタップメニューモード処理に移行して第１メニューが表示される構成であったが、これに加えて、瞬間的に３回以上の所定回数だけシートスイッチ１１０に指で触れた場合に、例えば、タップメニューモード処理に移行するものの第１メニューの各選択ボタン３２〜５４に表示されたラベルとは異なるラベルが表示される第２メニューを表示する構成としてもよい。
【０１０５】
さらに、本実施の形態では、設定時間ＴＡは基本的に不変であるが、例えば、ステップ２０４やステップ３５６で受信したと判定されたタッチ信号と、ステップ３０４やステップ３６０で受信したと判定されたタッチ信号との間に信号を受信しない状態がある場合には、その受信しない状態の時間をも計時し、その長さに基づいてその後に設定時間ＴＡを自動的に変更する構成としてもよい。
【０１０６】
＜第３の実施の形態＞
次に、本発明の第３の実施の形態について説明する。
【０１０７】
図１８及び図１９には、本実施の形態における機能選択処理を示すフローチャートが示されており、この図に基づいて本実施の形態の作用並びに効果について説明する。
【０１０８】
本実施の形態では、ステップ４００で制御部２２によりカーナビゲーションプログラムが記憶媒体２４から読み込まれるて実行されると、ステップ３１２まで前記第２の実施の形態と同様の処理がなされる。ステップ３１２でフラグＦ３に１が代入されていると判定されると、ステップ４０２でタップメニューモード処理が行なわれる。
【０１０９】
ここで、図１９には本実施の形態におけるタップメニューモード処理がフローチャートにより示されている。この図に示されるように、ステップ４００でタップメニューモード処理が実行されると、前記第２の実施の形態と同様にステップ３５２で特許請求の範囲で言う特定処理の１つに該当する第１メニューの表示処理が行なわれる。
【０１１０】
次いで、ステップ４５２ではフラグＦ４、Ｆ５、Ｆ６に０が代入されてリセットされ、更に、ステップ３５６で赤外線受光部２０からの電気信号を制御部２２が受信したか否かが制御部２２により判定される。ステップ３５６でタッチ信号を受信していると判定された場合には、ステップ３５８でタイマー（タイマープログラム）が作動し、計時が開始される。次いで、ステップ３６０ではステップ３５６で受信したと判定されたタッチ信号の後に再びタッチ信号を受信したか否かが判定され、タッチ信号が受信されていると判定された場合には、ステップ３６２でフラグＦ４に１が代入されてステップ３６４へ進む。一方、ステップ３６０でタッチ信号を受信していないと判定された場合には、ステップ３６８へ進む。
【０１１１】
また、ステップ３６４ではステップ３５６で受信したと判定されたタッチ信号の後にクリック信号を受信したか否かが判定される。ステップ３６４でクリック信号が受信されていると判定された場合には、ステップ３６６でフラグＦ５に１が代入された後にステップ３６８へ進む。
【０１１２】
一方、ステップ３６４でクリック信号が受信されていないと判定された場合には、ステップ４５４でフラグＦ５に１が代入されているか否かが判定される。ステップ４５４でフラグＦ５に１が代入されていないと判定された場合には、ステップ４５６でフラグＦ６に１が代入され、ステップ４５４でフラグＦ５に１が代入されていると判定された場合には、ステップ４５６を経ずにステップ３６８へ進む。
【０１１３】
すなわち、本実施の形態では、ステップ３５８でタイマーがスタートしてからの経過時間Ｔが設定時間ＴＡを越えるまでの間に、一度でもクリック信号を受信していればフラグＦ５に１が代入される。
【０１１４】
また、ステップ３５６で受信したと判定されたタッチ信号とステップ３６０で受信したと判定されたタッチ信号との間にタッチ信号を受信しない状態が介在している状態、すなわち、瞬間的にシートスイッチ１１０に２度触れて瞬間的にタッチ信号が２度受信されればフラグＦ６に１が代入される。しかしながら、ステップ３５６で受信したと判定されたタッチ信号が連続して受信されることでステップ３５６でもタッチ信号を受信したと判定された場合にはフラグＦ５に１が代入されてしまうため、フラグＦ６に１が代入されることはない。
【０１１５】
以上の各種判定処理等が行なわれた後にステップ３６８でタイマーが計時を開始してからの経過時間Ｔが予め設定された設定時間ＴＡを越えたか否かが判定される。なお、この設定時間ＴＡに関しては特に限定するものではない。しかしながら、基本的には操作者が操作遅延等の不快感を感じない程度の長さに設定されればよく、経験的に言えばその長さは、０．２乃至０．４秒程度が好ましい。また、本ダイレクトエンターモード処理時における設定時間ＴＡはダイレクトエンターモード処理移行前（図１８のフローチャート）の設定時間ＴＡと同じでもよいし、異なっていてもよい。
【０１１６】
このステップ３６８で経過時間Ｔが設定時間ＴＡを越えていなければステップ３６０へ戻り、経過時間Ｔが設定時間ＴＡを越えるまでステップ３６０〜３６８を循環する。
【０１１７】
ステップ３６８で経過時間Ｔが設定時間ＴＡを越えたと判定されると、ステップ３７０で経過時間Ｔが一旦リセットされ、次いで、ステップ３７２でフラグＦ５に１が代入されているか否か、すなわち、ステップ３５８でタイマーがスタートしてから経過時間Ｔが設定時間ＴＡを越えるまでの間に１度でもクリック信号を受信したか否かが判定される。
【０１１８】
このステップ３７２でフラグＦ５に１が代入されていないと判定されると、前記第２の実施の形態と同様にステップ３７８、３８０の処理が行なわれ、ステップ４５８でフラグＦ４、Ｆ５、Ｆ６がリセットされてステップ４６０を経て図１７に示される処理に戻る。
【０１１９】
一方、ステップ３７２でフラグＦ５に１が代入されていないと判定された場合にはステップ４６２でフラグＦ６に１が代入されているか否かが判定される。ここで、フラグＦ６に１が代入されている、すなわち、瞬間的にシートスイッチ１１０に２度触れていれば、ステップ４６４で現在のモニタテレビ２６の画面表示が上述した第１メニューであるか否かが判定される。ステップ４６４で現在のモニタテレビ２６の画面表示が第１メニューであると判定された場合にはステップ４５８へ進む。これに対して、ステップ４６４で現在の画面表示が第１メニューでないと判定された場合には、ステップ４６６で特許請求の範囲で言う特定処理に相当する前メニュー表示処理が行なわれ、現在表示されているメニュー画面よりも１段階前のメニュー画面に変更される（例えば、図２０の第２メニューから図１５の第１メニューに変更される）。
【０１２０】
この前メニュー表示処理では、基本的に上述したステップ３５２における処理と同じであるが、記憶媒体２４からは現在表示されているラベルを消去して、この消去したラベルとは別のラベルのデータ（ラベルデータ）を制御部２２が読み込んで表示する。次いで、ステップ４６８でフラグＦ４、Ｆ５、Ｆ６の各々がリセットされてステップ３５６に戻る。
【０１２１】
また、ステップ４６２でフラグＦ６に１が代入されていないと判定された場合にはステップ４７０へ進み、フラグＦ４に１が代入されているか否かが判定される。ステップ４７０でフラグＦ４に１が代入されていない、すなわち、瞬間的に１回だけシートスイッチ１１０に指で触れた場合には、ステップ４７２で特許請求の範囲で言う特定処理に相当する次メニュー表示処理が行なわれ、現在表示されているメニュー画面よりも１段階後のメニュー画面に変更される（例えば、図１５の第１メニューから図２０の第２メニューに変更される）。
【０１２２】
この次メニュー処理は、基本的に上述したステップ３５２における処理と同じで、記憶媒体２４からは現在表示されているラベルを消去して、この消去したラベルとは別のラベルのデータ（ラベルデータ）を制御部２２が読み込んで表示する。次いで、ステップ４６８でフラグＦ４、Ｆ５、Ｆ６の各々がリセットされてステップ３５６に戻る。
【０１２３】
一方、ステップ４７０でフラグＦ４に１が代入されていると判定されていると判定された場合には、ステップ３７６へ進んでタッチ信号処理がなされ、更に、ステップ４６８へ進む。
【０１２４】
以上説明したように、本実施の形態では、前記第２の実施の形態と同様の効果に加えて、第１メニューに続く第２メニュー等の表示が可能となり、より多くの各種機能や各種処理を設定できる。
【０１２５】
また、瞬間的に１回シートスイッチ１１０を触れれば次メニューに変わり、瞬間的に２回シートスイッチ１１０を触れれば前メニューに戻るため、このようなメニュー送りのための特別なスイッチやボタンをコントローラ７０に設けなくてもよい。
【０１２６】
＜第４の実施の形態＞
次に、本発明の第４の実施の形態について説明する。
【０１２７】
本実施の形態における機能選択処理は、ステップ５００で制御部２２によりカーナビゲーションプログラムが記憶媒体２４から読み込まれるて実行されると、その後は基本的に前記第２の実施の形態と同様の処理がなされる。
【０１２８】
但し、本実施の形態では、ステップ３１２にてフラグＦ３に１が代入されていると判定されると、ステップ５０２へ進んでタッチ信号の処理が行なわれる。このステップ５０２におけるタッチ信号の処理では、ライン端子１２２〜１２８、１３２〜１３６の何れが導通した際のタッチ信号かが判別され、この判別結果に基づいた第１メニューがモニタテレビ２６に表示される。
【０１２９】
すなわち、本実施の形態では、タップメニューモードへ移行する際のタッチ信号の種類に応じて異なる第１メニューを表示しうる構成となっている。これにより各種機能の第１メニューを即座に呼び出すことができ、操作性を向上させることができるうえ、より多くの各種機能や各種処理を設定できる。また、本実施の形態と前記第３の実施の形態とを組み合わせることで、より一層多くの各種機能や各種処理を設定できる。
【０１３０】
さらに、例えば、図２２に示されるように、コントローラ７０のタッチ部１５０〜１７２にダイレククトトレースモード用のラベルを施すことで、どの部分に触れることでどの機能の第１メニュー（例えば、Ｅメール機能やテレビ機能、更にはインターネット機能の第１メニュー）が表示されるのかを容易に識別することが可能となる。また、図２２に示されるように、タップメニュー用のラベルを四角で囲うことでダイレクトエンター用のラベルと差別化でき、混同を防止できる。
【０１３１】
なお、本実施の形態では、瞬間的に２回シートスイッチ１１０を触れることで、各種機能の第１メニューを表示する構成であったが、例えば、第１メニュー表示ではなく、瞬間的に２回シートスイッチ１１０を触れることで、該当する処理を直接実行する構成としてもよい。これは、「経過時間Ｔが設定時間ＴＡを越えるまでの間に一度でも制御部２２がクリック信号を受信したか否か」と、「瞬間的に２回シートスイッチ１１０を触れたか否か」という移行のための条件が異なるものの、該当する処理を直接実行するという点ではこれまでに説明したダイレクトエンターモード処理と同じである。このように設定することで、ダイレクトエンター処理をより一層多く設定することができ、操作性の向上が可能となる。この点について更に付け加えるならば、「経過時間Ｔが設定時間ＴＡを越えるまでの間に一度でも制御部２２がクリック信号を受信したか否か」や「瞬間的に２回シートスイッチ１１０を触れたか否か」等の条件に限ることなく、特定の条件に基づき何がしかの処理を直接実行する態様を「ダイレクトエンター処理」と定義でき、別の特定の条件に基づき何がしかの機能の第１メニュー等を表示する態様を「タップメニュー処理」と定義することができる。
【０１３２】
【発明の効果】
以上説明したように、本発明では、使用頻度が高い処理内容等、少なくとも特定の処理を迅速に行なうことができる。
【図面の簡単な説明】
【図１】本発明の第１の実施の形態に係る画面操作装置の概略的な外観を示す斜視図である。
【図２】本発明の第１の実施の形態に係る画面操作装置の概略的な構成を示すブロック図である。
【図３】本発明の第１の実施の形態に係る画面操作装置の検出手段を備えたコントローラの平面図である。
【図４】図３の４−４線に沿ったコントローラの要部を示す断面図である。
【図５】検出手段の展開状態における平面図である。
【図６】本発明の第１の実施の形態に係る画面操作装置の制御の流れを示すフローチャートである。
【図７】通常トレースモード処理の制御の流れを示すフローチャートである。
【図８】本発明の第１の実施の形態に係る画面操作装置における出力手段の画面例である。
【図９】図８に対応した通常トレースモード処理時の画面例である。
【図１０】タッチ信号処理が行なわれた状態を示す図９に対応した画面例である。
【図１１】クリック信号処理が行なわれた状態を示す図１０に対応した画面例である。
【図１２】特定処理の１つであるダイレクトエンターモード処理時の図８に対応した画面例である。
【図１３】本発明の第２の実施の形態に係る画面操作装置の制御の流れを示すフローチャートである。
【図１４】本発明の第２の実施の形態におけるタップメニューモード処理の流れを示すフローチャートである。
【図１５】特定処理の１つであるタップメニューモード処理時の第１メニュー表示状態での図８に対応した画面例である。
【図１６】特定処理の１つであるタップメニューモード処理時で且つタッチ信号処理が行なわれた状態を示す図１５に対応した画面例である。
【図１７】特定処理の１つであるタップメニューモード処理時で且つクリック信号処理が行なわれた状態を示す図１５に対応した画面例である。
【図１８】本発明の第３の実施の形態に係る画面操作装置の制御の流れを示すフローチャートである。
【図１９】本発明の第３の実施の形態におけるタップメニューモード処理の流れを示すフローチャートである。
【図２０】特定処理の１つであるタップメニューモード処理時の第２メニュー表示状態での図８に対応した画面例である。
【図２１】本発明の第４の実施の形態に係る画面操作装置の制御の流れを示すフローチャートである。
【図２２】タップメニューモードのラベルを施した図３に対応するコントローラの平面図である。
【符号の説明】
１０    カーナビゲーション装置（画面操作装置）
２２    制御部（制御手段）
２６    モニタテレビ（出力手段）
９６    プッシュスイッチ（押圧力検出手段）
１１０    シートスイッチ（操作体検出手段）
【図１】
0004408329.tif 000002
【図２】
0004408329.tif 000003
【図３】
0004408329.tif 000004
【図４】
0004408329.tif 000005
【図５】
0004408329.tif 000006
【図６】
0004408329.tif 000007
【図７】
0004408329.tif 000008
【図８】
0004408329.tif 000009
【図９】
0004408329.tif 000010
【図１０】
0004408329.tif 000011
【図１１】
0004408329.tif 000012
【図１２】
0004408329.tif 000013
【図１３】
0004408329.tif 000014
【図１４】
0004408329.tif 000015
【図１５】
0004408329.tif 000016
【図１６】
0004408329.tif 000017
【図１７】
0004408329.tif 000018
【図１８】
0004408329.tif 000019
【図１９】
0004408329.tif 000020
【図２０】
0004408329.tif 000021
【図２１】
0004408329.tif 000022
【図２２】
0004408329.tif 000023